(57)【要約】本明細書には、多様な厚みを有するフェースを備え、クラブヘッドの耐久性を向上し、ボールスピードを増加し、特性時間（ＣＴ）を増加させるゴルフクラブヘッドの実施形態が記載される。フェースは、厚くされた領域および薄くされた領域を備える。フェースは、フェースの周辺付近に配置されている周辺の厚くされた領域と、フェースの中心に向かって周辺の厚くされた領域の内側に配置されている薄くされた領域と、フェースの中心上に配置されている中央の厚くされた領域と、を含む。フェースの厚くされた領域と薄くされた領域とを組み合わせることによって、さらに耐久性を犠牲にすることなく、ボールスピードを増加し、ＣＴを増加または最大化する。【選択図】図６
2021511099.tif 000002
【特許請求の範囲】
【請求項１】
約４００ｃｃを超える体積と、
前方本体部と、を備えており、
前記前方本体部は、フェースを有しており、
前記フェースは、
外縁部を備えている打撃面であって、前記外縁部が前記打撃面の周辺を画定する、前記打撃面と、
前記打撃面と反対側の後面と、
幾何学的中心と、
前記打撃面から前記後面まで測定される厚さと、
一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、
変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、
一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、
前記中間厚さは、前記フェースの最小厚さを備えており、
前記周辺厚さは、前記中間厚さよりも厚く、
前記打撃面の前記外縁部から前記周辺境界まで測定される周辺距離は、０．２５インチ以下であり、
前記周辺領域は、接合部をさらに備えており、
前記打撃面の前記外縁部から前記接合部まで測定される接合距離は、前記周辺距離よりも短く、
前記フェースの厚みは、前記接合部の両側で一定である、中空体ゴルフクラブヘッド。
【請求項２】
前記周辺距離は、０．１５インチ以下である、請求項１に記載の中空体ゴルフクラブヘッド。
【請求項３】
前記接合距離は、０．２０インチ以下である、請求項１に記載の中空体ゴルフクラブヘッド。
【請求項４】
前記周辺領域は、前記打撃面の前記外縁部の周りの６５％を超えて延びている、請求項１に記載の中空体ゴルフクラブヘッド。
【請求項５】
前記周辺厚さは、０．０６から０．１６インチの範囲にあり、
前記中間厚さは、０．０５から０．１０インチの範囲にある、請求項１に記載の中空体ゴルフクラブヘッド。
【請求項６】
前記周辺厚さは、０．０９インチ以上であり、
前記中間厚さは、０．０８５インチ以下である、請求項１に記載の中空体ゴルフクラブヘッド。
【請求項７】
約４００ｃｃ未満の体積と、
前方本体部と、を備えており、
前記前方本体部は、フェースを有しており、
前記フェースは、
外縁部を備えている打撃面であって、前記外縁部が前記打撃面の周辺を画定する、前記打撃面と、
前記打撃面と反対側の後面と、
幾何学的中心と、
前記打撃面から前記後面まで測定される厚さと、
一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、
変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、
一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、
前記中間厚さは、前記フェースの最小厚さを備えており、
前記周辺厚さは、前記中間厚さよりも厚く、
前記打撃面の前記外縁部から前記周辺境界まで測定される周辺距離は、０．２５インチ以下であり、
前記周辺領域は、接合部をさらに備えており、
前記打撃面の前記外縁部から前記接合部まで測定される接合距離は、前記周辺距離よりも短く、
前記フェースの厚みは、前記接合部の両側で一定である、中空体ゴルフクラブヘッド。
【請求項８】
前記周辺距離は、０．２０インチ以下である、請求項７に記載の中空体ゴルフクラブヘッド。
【請求項９】
前記接合距離は、０．２０インチ以下である、請求項７に記載の中空体ゴルフクラブヘッド。
【請求項１０】
前記周辺領域は、前記打撃面の前記外縁部の周りの６５％を超えて延びている、請求項７に記載の中空体ゴルフクラブヘッド。
【請求項１１】
前記周辺領域は、前記打撃面の前記外縁部の周りの９０％を超えて延びている、請求項７に記載の中空体ゴルフクラブヘッド。
【請求項１２】
前記周辺厚さは、０．０５〜０．１０インチの範囲にあり、
前記中間厚さは、０．０４〜０．０８インチの範囲にある、請求項７に記載の中空体ゴルフクラブヘッド。
【請求項１３】
前記周辺厚さは、０．０６５インチ以上であり、
前記中間厚さは、０．０６５インチ以下である、請求項７に記載の中空体ゴルフクラブヘッド。
【請求項１４】
前方本体部を備えており、
前記前方本体部は、フェースを有しており、
前記フェースは、
外縁部を備えている打撃面であって、前記外縁部が前記打撃面の周辺を画定する、前記打撃面と、
前記打撃面と反対側の後面と、
幾何学的中心と、
前記打撃面から前記後面まで測定される厚さと、
一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、
変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、
一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、
前記フェースの幾何学的中心を包囲する楕円形状の中央領域であって、変化する中央厚さを備えており、前記中間境界から前記中央領域の前記幾何学的中心に向かって内方に延びる前記中央領域と、
前記中間厚さは、前記フェースの最小厚さを備えており、
前記中央厚さは、前記フェースの最大厚さを備えており、
前記周辺厚さは、前記中間厚さよりも厚く、前記中央厚さ未満であり、
前記打撃面の前記外縁部から前記周辺境界まで測定される周辺距離は、０．２５インチ以下であり、
前記周辺領域は、接合部をさらに備えており、
前記打撃面の前記外縁部から前記接合部まで測定される接合距離は、前記周辺距離よりも短く、
前記フェースの厚みは、前記接合部の両側で一定である、中空体ゴルフクラブヘッド。
【請求項１５】
前記周辺距離は、０．２０インチ以下である、請求項１４に記載の中空体ゴルフクラブヘッド。
【請求項１６】
前記接合距離は、０．２０インチ以下である、請求項１４に記載の中空体ゴルフクラブヘッド。
【請求項１７】
前記周辺領域は、前記打撃面の前記外縁部の周りの６０％を超えて延びている、請求項１４に記載の中空体ゴルフクラブヘッド。
【請求項１８】
前記周辺厚さは、０．０６〜０．１６インチの範囲にあり、
前記中間厚さは、０．０５〜０．１０インチの範囲にある、請求項１４に記載の中空体ゴルフクラブヘッド。
【請求項１９】
前記周辺厚さは、０．０５〜０．１０インチの範囲にあり、
前記中間厚さは、０．０４〜０．０８インチの範囲にある、請求項１４に記載の中空体ゴルフクラブヘッド。
【請求項２０】
前記中央領域は、前記フェースの前記幾何学的中心からオフセットされた幾何学的中心を有する、請求項１４に記載の中空体ゴルフクラブヘッド。
【発明の詳細な説明】
【技術分野】
【０００１】
（関連出願の相互参照）
本出願は、２０１８年１１月９日に出願された米国仮出願第６２／７５７，９２５号の優先権の利益を主張し、且つ２０１７年１２月２２日に出願された米国仮出願第６２／６１０，０７４号の優先権の利益をも主張するものであり、これらの全ての出願の内容は全体として引用することにより本明細書の一部とされる。
【０００２】
本開示は、中空体ゴルフクラブヘッドに関し、より具体的には、特性時間（ＣＴ）要件およびフェース耐久性を維持しながらボールスピードを向上させるために多様なフェース厚さを有するクラブヘッドに関する。
【背景技術】
【０００３】
ゴルフクラブは、ボールスピードなどのいくつかの性能特性を考慮に入れて設計されている。従来、ゴルフクラブヘッドの設計は、フェースの特性時間（ＣＴ）を増加することによりボールスピードを増加させることを目的とする。しかしながら、現在の設計は、耐久性を考慮するために限界がある。したがって、従来技術において、フェースの耐久性を維持または向上しながら、ＣＴをさらに増加あるいは最大化させたクラブヘッドが求められている。
【図面の簡単な説明】
【０００４】
【図１】一実施形態に係るゴルフクラブヘッドの正面斜視図を示している。
【図２】図１のゴルフクラブヘッドの正面図を示している。
【図３】図２の線３−３における図１のゴルフクラブヘッドの断面図を示している。
【図４】図１のゴルフクラブヘッドを部分的に切断した後部斜視図を示している。
【図５】図４の線５−５における図１のゴルフクラブヘッドの断面図を示している。
【図６】図２の線３−３における図１のゴルフクラブヘッドの拡大断面図を示している。
【図７】図２の線３−３における図１のゴルフクラブヘッドの拡大断面図を示している。
【図８】別の実施形態に係るゴルフクラブヘッドの拡大断面図を示している。
【図９】別の実施形態に係るゴルフクラブヘッドを部分的に切断した後部斜視図を示している。
【図１０】別の実施形態に係るゴルフクラブヘッドを部分的に切断した後部斜視図を示している。
【図１１】別の実施形態に係るゴルフクラブヘッドを部分的に切断した後部斜視図を示している。
【図１２】別の実施形態に係るゴルフクラブヘッドの正面図を示している。
【発明を実施するための形態】
【０００５】
図示の簡略化および明瞭化のために、図面は、構造の一般的な様態を示すものとし、公知な特徴および技術の説明およびその詳細は、ゴルフクラブとその製造方法を不必要に不明瞭にすることを避けるために省略されることがある。また、図面中の要素は、必ずしも縮尺通りに描かれているわけではない。例えば、図中のいくつかの要素の寸法は、重量を有するゴルフクラブヘッドの実施形態の理解を向上させるのに役立つように、他の要素に対して誇張されることがある。また、異なる図面中の同じ参照番号は、同じ要素を示すものとする。
【０００６】
本明細書には、（１）米国ゴルフ協会（ＵＳＧＡ）の要件における特性時間（ＣＴ）を最大化し、（２）インパクト時のゴルフボールのボールスピードと発射角を増加し、および（３）フェースの耐久性を高めるために、多様なフェース厚さを有する中空体ゴルフクラブヘッドが記載される。これらの有利な点を実現するために、中空体ゴルフクラブヘッドのフェースは、戦略的に配置されている厚くされた領域と薄くされた領域とを含む。より具体的には、フェースは、フェースの周辺付近に配置されている周辺の厚くされた領域と、フェースの中心に向かって周辺の厚くされた領域の内側に配置されている薄くされた領域と、フェースの中心上に配置されている中央の厚くされた領域とを含む。この周辺の厚くされた領域は、フェースにおける耐久性を高める。いくつかの実施形態では、周辺の厚くされた領域は、フェースを中空体に連結するウェルドラインをさらに含み、フェースの厚さは、ウェルドラインの両側で一定となされてウェルドラインの周りの領域の耐久性を向上する。フェースの最小厚さを有するフェースの薄くされた領域は、オフセンターヒット時のボールスピードを増加し、フェースのＣＴをさらに増加または最大化させる。中央の厚くされた領域は、センターヒット時のボールスピードを増加し、フェースのＣＴをさらに増加または最大化させる。周辺の厚くされた領域、中央の厚くされた領域、および薄くされた領域の組み合わせにより、ＣＴが増加または最大化され、かつ多くのゴルフボールのインパクトに対してフェースの耐久性を維持しながらボールスピードを向上させることができる中空体ゴルフクラブヘッドが提供される。
【０００７】
本明細書および特許請求の範囲において、「第１の」、「第２の」、「第３の」、「第４の」などの用語がある場合、それらは、類似の要素を区別するために使用されるものであり、必ずしも特定の順序または時系列的順序を説明するために使用されるものではない。そのように使用される上記の用語は、適宜入れ替え可能であり、本明細書で説明される実施形態は、例えば、本明細書に説明または図示されたものと異なる順序でも実施可能であることを理解されたい。さらに、「含む」および「有する」という用語、並びにこれらの類義語は、非排他的包含を含めることを意図しており、列挙される要素を含むプロセス、方法、システム、物品、機器または装置は、必ずしもこれらの要素に限定されるわけではなく、明示的に列挙されていない他の要素、またはこのようなプロセス、方法、システム、物品、機器もしくは装置に本来備わっている他の要素を含んでもよい。
【０００８】
明細書および特許請求の範囲において、「左」、「右」、「前」、「後」、「上部」、「底部」、「上」、「下」などという用語がある場合には、それらは、説明目的のために使用されており、必ずしも永続的な相対的位置を説明するためのものではない。そのように使用されている上記の用語は、適宜入れ替え可能であり、本明細書で説明されている装置、方法、および／または物品の実施形態が、例えば、本明細書に図示または説明されている以外の他の配向でも実施可能であるということが理解されるべきである。
【０００９】
本明細書で定義された「スプライン法」とは、表面の曲率が変化する位置を求める方法をいう。例えば、スプライン法は、曲率がゴルフクラブヘッドの打撃面のバルジやロールから逸脱している箇所を判定するのに用いることができる。バルジとは、ヒールからトウ方向への打撃面の曲率のことである。ロールとは、クラウンからソール方向への打撃面の曲率のことである。スプライン法は、スプラインが曲率の大きな変化の始まる箇所を示すように間隔をあけて曲面にスプラインをあてがうことで実行できる。
【００１０】
本明細書に記載の、ゴルフクラブの「ロフト」または「ロフト角」という用語は、任意の適切なロフト・ライマシンによって測定される、クラブフェースとシャフトとの間に形成される角度を指す。
【００１１】
他の特徴および態様は、以下の詳細な説明および添付の図面を考慮することによって、明らかになる。本明細書で開示する実施形態を詳細に説明する前に、本開示の適用は、以下の説明に記載されているような、または図面に図示されているような、コンポーネントの詳細または実施形態および配置に限定されないということが理解されるべきである。本開示は、他の実施形態をサポートすることが可能であり、さまざまに実践または実施され得る。特定の実施形態の説明は、本開示の趣旨および範囲の中に入るすべての変形例、均等物、および代替例をカバーしており、本開示を限定することを意図していないということが理解されるべきである。また、本明細書で使用されている表現法および用語は、説明目的のためのものであり、限定するものとして見なされるべきではないということが理解されるべきである。
【００１２】
ゴルフクラブヘッドの実施形態が本明細書に記載されている。ゴルフクラブヘッドは、ドライバータイプのクラブヘッド、フェアウェイウッドタイプのクラブヘッド、および、ハイブリッドタイプのクラブヘッドを備えることができる。例えば、いくつかの実施形態では、ゴルフクラブヘッドは、ドライバータイプのクラブヘッドを備えることができる。ドライバータイプのクラブヘッドは、ロフト角と、体積と、を備える。多くの実施形態では、ドライバータイプのクラブヘッドのロフト角は、約１６度未満、約１５度未満、約１４度未満、約１３度未満、約１２度未満、約１１度未満、または、約１０度未満である。さらに、多くの実施形態では、ドライバータイプのクラブヘッドの体積は、約４００ｃｃを超え、約４２５ｃｃを超え、約４４５ｃｃを超え、約４５０ｃｃを超え、約４５５ｃｃを超え、約４６０ｃｃを超え、約４７５ｃｃを超え、約５００ｃｃを超え、約５２５ｃｃを超え、約５５０ｃｃを超え、約５７５ｃｃを超え、約６００ｃｃを超え、約６２５ｃｃを超え、約６５０ｃｃを超え、約６７５ｃｃを超え、または、約７００ｃｃを超える。いくつかの実施形態では、ドライバータイプのクラブヘッドの体積は、約４００ｃｃ〜６００ｃｃ、約４２５ｃｃ〜５００ｃｃ、約５００ｃｃ〜６００ｃｃ、約５００ｃｃ〜６５０ｃｃ、約５５０ｃｃ〜７００ｃｃ、約６００ｃｃ〜６５０ｃｃ、約６００ｃｃ〜７００ｃｃ、または、約６００ｃｃ〜８００ｃｃをとり得る。
【００１３】
さらなる例として、いくつかの実施形態では、ゴルフクラブヘッドは、フェアウェイウッドタイプのクラブヘッドを備えることができる。フェアウェイウッドタイプのクラブヘッドは、ロフト角と、体積と、を備える。多くの実施形態では、フェアウェイウッドタイプのクラブヘッドのロフト角は、約３５度未満、約３４度未満、約３３度未満、約３２度未満、約３１度未満、または、約３０度未満である。さらに、おおくの実施形態では、フェアウェイウッドタイプのクラブヘッドのロフト角は、約１２度を超え、約１３度を超え、約１４度を超え、約１５度を超え、約１６度を超え、約１７度を超え、約１８度を超え、約１９度を超え、または、約２０度を超える。例えば、いくつかの実施形態では、フェアウェイウッドタイプのクラブヘッドのロフト角は、１２度と３５度との間、１５度と３５度との間、２０度と３５度との間、または、１２度と３０度との間をとり得る。
【００１４】
さらに、多くの実施形態では、フェアウェイウッドタイプのクラブヘッドの体積は、約４００ｃｃ未満、約３７５ｃｃ未満、約３５０ｃｃ未満、約３２５ｃｃ未満、約３００ｃｃ未満、約２７５ｃｃ未満、約２５０ｃｃ未満、約２２５ｃｃ未満、または、約２００ｃｃ未満である。いくつかの実施形態では、フェアウェイウッドタイプのクラブヘッドの体積は、約１５０ｃｃ〜２００ｃｃ、約１５０ｃｃ〜２５０ｃｃ、約１５０ｃｃ〜３００ｃｃ、約１５０ｃｃ〜３５０ｃｃ、約１５０ｃｃ〜４００ｃｃ、約３００ｃｃ〜４００ｃｃ、約３２５ｃｃ〜４００ｃｃ、約３５０ｃｃ〜４００ｃｃ、約２５０ｃｃ〜４００ｃｃ、約２５０ｃｃ〜３５０ｃｃ、または、約２７５ｃｃ〜３７５ｃｃをとり得る。
【００１５】
さらに、多くの実施形態では、フェアウェイウッドタイプのクラブヘッドは、打撃面の高さを備える。打撃面の高さは、ロフト面に平行な方向に、打撃面のソール周縁部（すなわちソール外縁部）から打撃面のクラウン周縁部（すなわちクラウン外縁部）まで、打撃面の幾何学的中心を通って測定される。以下、外縁部およびロフト面についてより詳細に説明する。多くの実施形態では、打撃面の高さは、０．５〜２．０インチの範囲をとり得る。いくつかの実施形態では、打撃面の高さは、０．５〜１．０インチ、または１．０〜２．０インチの範囲をとり得る。他の実施形態では、打撃面の高さは、０．６〜１．１０インチ、０．７〜１．２０インチ、０．８〜１．３０インチ、０．９〜１．４０インチ、１．０〜１．５０インチ、１．１０〜１．６０インチ、１．２０〜１．７０インチ、１．３０〜１．８０インチ、１．４０〜１．９０インチ、または１．５０〜２．０インチの範囲をとり得る。さらに他の実施例では、打撃面の高さは、０．５、０．６、０．７、０．８、０．８５、０．９０、０．９５、１．０、１．０５、１．１０、１．１５、１．２０、１．２５、１．３０、１．４０、１．５０、１．６０、１．７０、１．８０、１．９０、または２．０インチをとり得る。一実施例では、打撃面の高さは、１．０〜１．１５インチの範囲をとり得る。
【００１６】
さらなる例として、いくつかの実施形態では、ゴルフクラブヘッドは、ハイブリッドタイプのクラブヘッドを備えることができる。ハイブリッドタイプのクラブヘッドは、ロフト角と、体積と、を備える。多くの実施形態では、ハイブリッドタイプのクラブヘッドのロフト角は、約４０度未満、約３９度未満、約３８度未満、約３７度未満、約３６度未満、約３５度未満、約３４度未満、約３３度未満、約３２度未満、約３１度未満、または、約３０度未満である。さらに、多くの実施形態では、ハイブリッドタイプのクラブヘッドのロフト角は、約１６度を超え、約１７度を超え、約１８度を超え、約１９度を超え、約２０度を超え、約２１度を超え、約２２度を超え、約２３度を超え、約２４度を超え、または、約２５度を超える。
【００１７】
さらに、多くの実施形態では、ハイブリッドタイプのクラブヘッドの体積は、約２００ｃｃ未満、約１７５ｃｃ未満、約１５０ｃｃ未満、約１２５ｃｃ未満、約１００ｃｃ未満、または、約７５ｃｃ未満である。いくつかの実施形態では、ハイブリッドタイプのクラブヘッドの体積は、約１００ｃｃ〜１５０ｃｃ、約７５ｃｃ〜１５０ｃｃ、約１００ｃｃ〜１２５ｃｃ、または、約７５ｃｃ〜１２５ｃｃをとり得る。
【００１８】
ゴルフクラブヘッドは、金属、金属合金、または複合材料から形成されることができる。ゴルフクラブヘッドは、鋼、鋼合金、ステンレス鋼、ステンレス鋼合金、ニッケル、ニッケル合金、コバルト、コバルト合金、チタン、チタン合金、アモルファス金属合金、または他の類似の材料から形成されることができる。例えば、ゴルフクラブヘッドは、Ｃ３００鋼、Ｃ３５０鋼、１７−４ステンレス鋼、またはＴ９ｓ＋チタンから形成されることができる。
【００１９】
（ゴルフクラブヘッドの実施形態についての一般的説明）
図１から図６は、クラブヘッド１００の一実施形態を示す。クラブヘッド１００は、前方本体部１４０と後方本体部１３０とを備える。前方本体部１４０および後方本体部１３０は、密閉された中空の内部空洞を形成する。クラブヘッド１００は、クラウン１３２と、クラウン１３２と反対側のソール１３４と、ヒール１３６と、ヒール１３６と反対側のトウ１３８とをさらに含む。
【００２０】
前方本体部１４０は、一般に、ゴルフボールにインパクトを与えることを意図した打撃面１４４を有するフェース１４２と、打撃面１４４と反対側の後面１４６と、幾何学的中心１４８と、外縁部１５０とを含む。フェース１４２の後面１４６は、クラブヘッド１００の密閉された中空の内部空洞に位置する。フェース１４２の幾何学的中心１４８は、フェース１４２の幾何学的中点に位置し得る。１つのアプローチでは、幾何学的中心１４８は、米国ゴルフ協会（ＵＳＧＡ）などのゴルフ運営団体の定義に従って位置し得る。例えば、幾何学的中心１４８は、ゴルフクラブヘッドの柔軟性を測定するためのＵＳＧＡの手順（ＵＳＧＡ−ＴＰＸ３００４、２００８年５月１日改訂版１．０．０）のセクション６．１（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｐｒｏｃｅｄｕｒｅ−Ｆｏｒ−Ｍｅａｓｕｒｉｎｇ−Ｔｈｅ−Ｆｌｅｘｉｂｉｌｉｔｙ−Ｏｆ−Ａ−Ｇｏｌｆ−Ｃｌｕｂ−Ｈｅａｄ／にて入手可能）（以下「柔軟性の手順」）に従って決定することができる。
【００２１】
図１および図２をさらに参照すると、フェース１４２の幾何学的中心１４８は、ｘ軸１０５、ｙ軸１１０、およびｚ軸１１５を有する座標系の原点を定義する。ｘ軸１０５は、接地面１１６に平行な方向に、クラブヘッド１００のヒール１３６付近からトウ１３８付近まで幾何学的中心１４８を通って延びている。ｙ軸１１０は、接地面１１６に垂直な方向に、クラブヘッド１００のクラウン１３２付近からソール１３４付近まで幾何学的中心１４８を通って延びている。ｚ軸１１５は、接地面１１６に平行な方向に、クラブヘッド１００の前方本体部１４０付近から後方本体部１３０付近まで幾何学的中心１４８を通って延びている。
【００２２】
図３に示すように、クラブヘッド１００は、打撃面１４４に当接し、フェース１４２の幾何学的中心１４８を通って延びるロフト面１１８を有する。ロフト面１１８は、ｙ軸１１０に対して鋭角に配置されており、ここで、この鋭角は、クラブヘッド１００のロフト角に対応することができる。
【００２３】
図２に示すように、ｘ軸１０５およびｙ軸１１０は、クラブヘッド１００のフェース１４２を、トウ１３８およびクラウン１３２の付近に位置する高トウ象限１２０と、トウ１３８およびソール１３４の付近に位置する低トウ象限１２４と、ヒール１３６およびクラウン１３２の付近に位置する高ヒール象限１２２と、ヒール１３６およびソール１３４の付近に位置する低ヒール象限１２６とを含む４つの象限に分割する。
【００２４】
フェース１４２の外縁部１５０は、打撃面１４４の周辺に沿って延びており、曲率が打撃面１４４のバルジおよびロールから逸脱する箇所で定義することができる。より具体的には、外縁部１５０は、曲率が打撃面１４４のバルジおよびロールから逸脱する、クラウン１３２、トウ１３８、ソール１３４、およびヒール１３６の付近で、打撃面１４４の周辺に沿って全体的に延び得る。１つのアプローチでは、上述したように、スプライン法は、曲率が打撃面１４４のバルジおよびロールから逸脱する外縁部１５０の位置を決定するのに用いることができる。
【００２５】
（ゴルフクラブヘッドのフェース）
上述したように、図４から図６を参照すると、クラブヘッド１００は、フェース１４２を有する前方本体部１４０を含む。フェース１４２は、ロフト面１１８に垂直な方向に打撃面１４４から後面１４６まで測定された厚さを含む。フェース１４２の厚さは、変化し、幾何学的中心１４８から打撃面１４４の外縁部１５０まで径方向に延びる（すなわち、半径の方向に、フェース１４２の幾何学的中心１４８から外方に打撃面１４４の外縁部１５０に向かう方向に延びる、または外縁部１５０から内方に幾何学的中心１４８に向かう方向に延びる）１つまたは複数の領域１６０を参照して以下に説明される。
【００２６】
図４から図６に示されるように、１つまたは複数の領域１６０は、周辺領域１６２、移行領域１６４、中間領域１６６、および中央領域１６８を含む。周辺領域１６２は、打撃面１４４の外縁部１５０に当接または接触し、外縁部１５０からフェース１４２の幾何学的中心１４８に向かって内方に延びる。周辺領域１６２は、周辺領域１６２の境界を画定する、一定の周辺厚さを備える。
【００２７】
移行領域１６４は、周辺領域１６２に当接または接触し、周辺領域１６２からフェース１４２の幾何学的中心１４８に向かって内方に延びる。移行領域１６４は、周辺領域１６２からフェース１４２の幾何学的中心１４８に向かう方向に変化する移行厚さを備える。多くの実施形態では、移行厚さは、周辺領域１６２からフェース１４２の幾何学的中心１４８に向かう方向に減少する。
【００２８】
中間領域１６６は、移行領域１６４に当接または接触し、移行領域１６２からフェース１４２の幾何学的中心１４８に向かって内方に延びる。中間領域１６６は、中間領域１６６の境界を画定する、一定の中間厚さを備える。中間厚さは、周辺厚さよりも薄い。多くの実施形態では、中間厚さは、フェース１４２の最小厚さを構成する。
【００２９】
中央領域１６８は、中間領域１６６に当接または接触し、中間領域１６６からフェース１４２の幾何学的中心１４８に向かって内方に延びる。中央領域１６８は、フェース１４２の幾何学的中心１４８を包囲し得る。中央領域１６８は、変化し得るおよび／または一定のまま維持され得る中央厚さを有する。多くの実施形態では、中央厚さは、フェース１４２の最大厚さを備える。多くの実施形態では、中央厚さは、中間領域１６６から幾何学的中心１４８に向かう方向に増加する多様な厚さと、フェース１４２の幾何学的中心上に配置された一定の厚さとを備える。
【００３０】
フェース１４２の１つまたは複数の領域１６０は、各領域の周りに延びる１つまたは複数の境界線によってさらに分離または境界化されている。１つまたは複数の境界線は、１つまたは複数の領域１６０の境界を分離し、さらに画定する。図４および図５に示されるように、１つまたは複数の境界線は、周辺境界１７０、移行境界１７２、および中間境界１７４を含む。周辺境界１７０は、周辺領域１６２と移行領域１６４との間の境界を画定し、移行境界１７２は、移行領域１６４と中間領域１６６との間の境界を画定し、中間境界１７４は、中間領域１６６と中央領域１６８との間の境界を画定する。例えば、周辺境界１７０は、周辺領域１６２が移行領域１６４に移行するフェース１４２上の位置を画定する。別の実施例では、移行境界１７２は、移行領域１６４が中間領域１６６に移行するフェース１４２上の位置を画定する。別の実施例では、中間境界１７４は、中間領域１６６が中央領域１６８に移行するフェース１４２上の位置を画定する。以下では、１つまたは複数の境界線の相対位置および１つまたは複数の領域１６０に対する相対位置について、さらに詳しく説明する。
【００３１】
図４および図５に示されるように、周辺領域１６２は、打撃面１４４の外縁部１５０から周辺境界１７０に向かって内方に延びている。周辺境界１７０は、フェース１４２の厚さが一定の周辺厚さから逸脱するフェース１４２上の位置を画定する。一定の周辺厚さは、外縁部１５０から周辺境界１７０まで延びている。移行領域１６４は、周辺境界１７０から移行境界１７２に向かって内方に延びている。移行境界１７２は、フェース１４２の厚さが変化する移行厚さから逸脱するフェース１４２上の位置を画定する。変化する移行厚さは、周辺境界１７０から移行境界１７２に向かって延びている。
【００３２】
移行領域１６６は、移行境界１７２から中間境界１７４に向かって内方に延びている。中間境界１７４は、フェース１４２の厚さが一定の中間厚さから逸脱するフェース１４２上の位置を画定する。一定の中間厚さは、移行境界１７２から中間境界１７４に延びている。中央領域１６８は、中間境界１７４からフェース１４２の幾何学的中心１４８に向かって内方に延びている。中央厚さは、変化する厚さと、中間境界１７４からフェース１４２の幾何学的中心１４８までの一定の厚さとを備える。
【００３３】
厚くされた中央厚さと、薄くされた中間厚さと、厚くされた周辺厚さとを組み合わせることで、結果的にフェース１４２の耐久性を高めつつ、ゴルフボールのスピードゲインを向上させる。特に、厚くされた中央厚さによって、ボールスピードを増加し、フェース１４２のＣＴをさらに増加または最大化する。また、厚くされた一定の周辺厚さによって、打撃面１４４の外縁部１５０における構造上の剛性を高め、これにより、フェース１４２の耐久性が向上する。さらに、薄くされた一定の中間厚さによって、オフセンターヒット時のボールスピードを増加させ、さらに、耐久性を犠牲にすることなく、フェース１４２のＣＴを増加または最大化させる。クラブヘッド１００の厚くされた中央厚さと、薄くされた中間厚さと、厚くされた周辺厚さとを組み合わせることで、結果的に、上述の厚くされた領域および薄くされた領域を欠いたクラブヘッドと比較して、ボールスピードを０．５〜２．０ｍｐｈ大きくし、ＣＴを１％〜５％を大きくすることが可能となる。
【００３４】
（周辺領域）
図４から図６に示されるように、フェース１４２の厚さは、変化し、１つまたは複数の領域１６０を参照して説明される。フェース１４２の１つまたは複数の領域１６０は、周辺領域１６２を備える。周辺領域１６２は、打撃面１４４の外縁部１５０から幾何学的中心１４８に向かって内方に延びている。周辺領域１６２は、周辺領域１６２の境界を画定する、一定の周辺厚さを備える。より具体的には、周辺領域１６２は、外縁部１５０から周辺境界１７０に向かって内方に延びている。周辺境界１７０は、フェース１４２の厚さが一定の周辺厚さから逸脱するフェース１４２上の位置を画定する。一定の周辺厚さは、外縁部１５０から周辺境界１７０まで延びている。周辺厚さは、中間厚さよりも厚いが、中央厚さよりも薄い。
【００３５】
多くの実施形態では、ドライバータイプのクラブヘッドの周辺厚さは、０．０６インチ以上、０．０７インチ以上、０．０８インチ以上、０．０８５インチ以上、０．０９インチ以上、０．０９５インチ以上、または０．１０インチ以上をとり得る。他の実施形態では、ドライバータイプのクラブヘッドの周辺厚さは、０．０６〜０．１６インチの範囲をとり得る。いくつかの実施形態では、ドライバータイプのクラブヘッドの周辺厚さは、０．０６〜０．１１インチ、または０．１１〜０．１６インチの範囲をとり得る。また、いくつかの実施形態では、ドライバータイプのクラブヘッドの周辺厚さは、０．０６〜０．０８インチ、０．０８〜０．１０インチ、０．１０〜０．１２インチ、０．１２〜０．１４インチ、または０．１４〜０．１６インチの範囲をとり得る。例えば、ドライバータイプのクラブヘッドの周辺厚さは、約０．０６、０．０６５、０．０７、０．０７５、０．０８、０．０８５、０．０９、０．０９２、０．０９５、０．１０、０．１０５、０．１１、０．１１５、０．１２、０．１２５、０．１３、０．１３５、０．１４、０．１４５、０．１５、０．１５５、０．１６、０．１６５、０．１７、０．１７５、または０．１８インチをとり得る。別の実施例では、ドライバータイプのクラブヘッドの周辺厚さは、０．０９２インチをとり得る。別の実施例では、ドライバータイプのクラブヘッドの周辺厚さは、０．１０インチをとり得る。
【００３６】
多くの実施形態では、フェアウェイウッドタイプのクラブヘッドの周辺厚さは、０．０５インチ以上、０．０６インチ以上、０．０６５インチ以上、０．０７インチ以上、０．０８インチ以上、０．０９インチ以上、または０．１０インチ以上をとり得る。他の実施形態では、フェアウェイウッドタイプのクラブヘッドの周辺厚さは、０．０５〜０．１０インチの範囲をとり得る。いくつかの実施形態では、フェアウェイウッドタイプのクラブヘッドの周辺厚さは、０．０５〜０．０７５インチ、または０．０７５〜０．１０インチの範囲をとり得る。また、いくつかの実施形態では、フェアウェイウッドタイプのクラブヘッドの周辺厚さは、０．０５〜０．０６インチ、０．０６〜０．０７インチ、０．０７〜０．０８インチ、０．０８〜０．０９インチ、または０．０９〜０．１０インチの範囲をとり得る。例えば、フェアウェイウッドタイプのクラブヘッドの周辺厚さは、約０．０５、０．０５５、０．０６、０．０６５、０．０７、０．０７５、０．０８、０．０８５、０．０９、０．０９５、または０．１０インチをとり得る。他の実施形態では、フェアウェイウッドタイプのクラブヘッドの周辺厚さは、０．０７インチをとり得る。
【００３７】
図７に示されるように、周辺領域１６２は、フェース１４２の外縁部１５０から周辺距離１９０だけ内方に延び得る。周辺距離１９０は、ロフト面１１８に平行な方向に、打撃面１４４の外縁部１５０から周辺境界１７０まで測定することができる。多くの実施形態では、周辺距離１９０は、０．２５インチ以下、０．２０インチ以下、０．１５インチ以下、または０．１０インチ以下をとり得る。他の実施形態では、周辺距離１９０は、０〜０．２５インチの範囲をとり得る。いくつかの実施形態では、周辺距離１９０は、０〜０．１５インチ、または０．１５〜０．２５インチの範囲をとり得る。また、いくつかの実施形態では、周辺距離１９０は、０〜０．１０インチ、０．１０〜０．１５インチ、０．１５〜０．２０インチ、または０．２０〜０．２５インチの範囲をとり得る。さらに他の実施例では、周辺距離１９０は、約０、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、または０．２５インチをとり得る。例えば、周辺距離１９０は、ドライバータイプのクラブヘッドの場合、０．０９インチをとり得る。別の実施例では、周辺距離１９０は、フェアウェイウッドタイプのクラブヘッドの場合、０．１４１インチをとり得る。
【００３８】
図５から図７に示されるように、周辺領域１６２は、前方本体部１４０と後方本体部１３０との間の接合部をさらに備えることができる。前方本体部１４０と後方本体部１３０との間の接合部は、ウェルドライン１８０を備え得るものであり、ここで、前方本体部１４０は、後方本体部１３０上に溶接される。多くの実施形態では、ウェルドライン１８０は、ロフト面１１８に垂直な方向に打撃面１４４からフェース１４２の後面１４６まで延び得る。代替的な実施形態では、図８に示すように、周辺領域１６２は、ウェルドライン１８０を備えなくてもよい。この代替的な実施形態では、前方本体部１４０と後方本体部１３０との間の接合部は、打撃面１４４からオフセットされたクラブヘッド１００のクラウン１３２および／またはソール１３４上に位置することができる。またこの代替的な実施形態では、前方本体部１４０と後方本体部１３０との間の接合部は、打撃面１４４からオフセットされているのだが、クラブヘッド１００は、カップ型の外形を備えることができる。
【００３９】
図７に示されるように、ウェルドライン１８０は、打撃面１４４の外縁部１５０からウェルドまたは接合距離１９５（以下「ウェルド距離」）だけ内方に配置することができる。ウェルド距離１９５は、ロフト面１１８に平行な方向に、打撃面１４４の外縁部からウェルドライン１８０まで測定することができる。ウェルド距離１９５は、フェース１４２の厚さがウェルドライン１８０の両側で一定となるように、周辺距離１９０よりも短くされている。ウェルドライン１８０の両側のフェース１４２の一定の厚さは、一定の厚くなされた周辺厚さとウェルドライン１８０の両側の一定のフェース厚さとを欠いたクラブヘッドと比較して、クラブヘッド１００に１５％〜３０％の耐久性の増加をもたらすことが可能である。
【００４０】
多くの実施形態では、ウェルド距離１９５は、０．２０インチ以下、０．１５インチ以下、または０．１０インチ以下をとり得る。他の実施形態では、ウェルド距離１９５は、０．０５〜０．２インチの範囲をとり得る。いくつかの実施形態では、ウェルド距離１９５は、０〜０．１５インチ、または０．１０〜０．２０インチの範囲をとり得る。また、いくつかの実施形態では、ウェルド距離１９５は、０〜０．１０インチ、０．１０〜０．１５インチ、または０．１５〜０．２０インチの範囲をとり得る。さらに他の実施例では、ウェルド距離１９５は、約０、０．０５、０．０６、０．０７、０．０８、０．０９、０．１０、０．１１、０．１２、０．１３、０．１４、０．１５、０．１６、０．１７、０．１８、０．１９、または０．２０インチをとり得る。別の実施例では、ウェルド距離１９５は、ドライバータイプのクラブヘッドの場合、０．０６５インチをとり得る。別の実施例では、ウェルド距離１９５は、フェアウェイウッドタイプのクラブヘッドの場合、０．０９８インチをとり得る。
【００４１】
多くの実施形態では、一定の周辺厚さは、打撃面１４４の周辺全体または外周の周りに連続的に延び得る。他の実施形態では、周辺領域１６２は、フェース１４２の周辺の周りに不連続に延びることもできる。これらの実施形態では、図９および図１０に示すように、周辺領域１６２は、一定の周辺厚さを有する１つまたは複数の周辺領域ゾーン１６２を備えることができる。例えば、１つまたは複数の周辺領域ゾーン１６２は、１つ、２つ、３つ、４つ、５つ、６つ、７つ、８つ、９つ、または１０つの周辺領域ゾーン１６２を備え得る。これらの実施形態では、周辺領域１６２は、打撃面１４４の周辺の周りに１００％延びていなくてもよい。これらの実施形態では、周辺領域１６２は、打撃面１４４の周辺の周りの６０％を超え、６５％を超え、７０％を超え、７５％を超え、８０％を超え、８５％を超え、９０％を超え、または９５％を超えて延び得る。さらに他の実施例では、周辺領域１６２は、打撃面１４４の周辺の周りの６０％〜８０％、または８０％〜１００％を延び得る。他の実施形態では、周辺領域１６２は、打撃面１４４の周辺の周りの６０％〜１００％、７０％〜１００％、または８０％〜１００％を延び得る。さらに他の実施例では、周辺領域１６２は、６０％〜９０％、７０％〜９０％、または８０％〜９０％を延び得る。
【００４２】
いくつかの実施形態では、外縁部１５０と周辺境界１７０との間であり、１つまたは複数の周辺領域ゾーン１６２の外側のフェース１４２の厚さは、１つまたは複数の周辺領域ゾーン１６２の一定の周辺厚さ以下とすることができる。他の実施形態では、外縁部１５０と周辺境界１７０との間であり、１つまたは複数の周辺領域ゾーン１６２の外側のフェース１４２の厚さは、１つまたは複数の周辺領域ゾーン１６２の一定の周辺厚さ以上とすることができる。１つまたは複数の周辺領域ゾーン１６２は、重心位置を調整し、慣性モーメントを改善するために、クラブヘッドの重量をフェース１４２から排除し、ソール１３４などのクラブヘッド１００の他の部分に配置することを可能にする。
【００４３】
一実施例では、図９に示すように、周辺領域１６２は、一定の周辺厚さを備える２つの周辺領域ゾーン１６２に分離することができる。周辺領域ゾーン１６２は、クラブヘッド１００のクラウン１３２および／またはソール１３４の付近に配置することができる。より具体的には、第１の周辺領域ゾーン１６２は、高トウ象限１２０および高ヒール象限１２２内に延び得、第２の周辺領域ゾーン１６２は、低トウ象限１２４および低ヒール象限１２６内に延び得る。この実施形態では、これら２つの周辺領域ゾーン１６２は、打撃面１４４の周辺の周りに９０％超延び得る。さらに、この実施形態では、外縁部１５０と周辺境界１７０との間で、および、２つの周辺領域ゾーン１６２の外側のフェース１４２の厚さは、２つの周辺領域ゾーン１６２の一定の周辺厚さ以下とすることができる。
【００４４】
他の実施例では、図１０に示すように、周辺領域１６２は、一定の周辺厚さを備える４つの周辺領域ゾーン１６２に分離することができる。周辺領域ゾーン１６２は、クラブヘッド１００のクラウン１３２、ソール１３４、ヒール１３６および／またはトウ１３８の付近に配置することができる。より具体的には、第１の周辺領域ゾーン１６２は、高トウ象限１２０および高ヒール象限１２２内に延び得、第２の周辺領域ゾーン１６２は、高ヒール象限１２２および低ヒール象限１２６内に延び得、第３の周辺領域ゾーン１６２は、低ヒール象限１２６および低トウ象限１２４内に延び得、第４の周辺領域ゾーン１６２は、低トウ象限１２４および高トウ象限１２６内に延び得る。この実施形態では、これら４つの周辺領域ゾーン１６２は、打撃面１４４の周辺の周りに７５％超延び得る。さらに、この実施形態では、外縁部１５０と周辺境界１７０との間の、および、４つの周辺領域ゾーン１６２の外側のフェース１４２の厚さは、４つの周辺領域ゾーン１６２の一定の周辺厚さ以下とすることができる。
【００４５】
（移行領域）
図４から図６に示されるように、フェース１４２の厚さは、変化し、１つまたは複数の領域１６０を参照して説明される。フェース１４２の１つまたは複数の領域１６０は、移行領域１６４を備える。移行領域１６４は、周辺領域１６２からフェース１４２の幾何学的中心１４８に向かって内方に延びる。移行領域１６４は、周辺領域１６２からフェース１４２の幾何学的中心に内方に向かう方向に変化する移行厚さを備える。より具体的には、移行領域１６４は、周辺境界１７０から移行境界１７２に向かって内方に延びている。移行境界１７０は、フェース１４２の厚さが変化する移行厚さから逸脱するフェース１４２上の位置を画定する。移行厚さは、周辺境界１７０から移行境界１７２に向かって変化する。多くの実施形態では、移行厚さは、周辺領域１６２からフェース１４２の幾何学的中心１４８に内方に向かう方向に減少する。
【００４６】
移行厚さは、少しの距離で大きく変化し得る。移行厚さは、１つまたは複数の半径により画定することができる。一実施例では、移行領域１６４は、２つの半径を備え、ここで、第１の半径は、打撃面１４４に対して凸状であり、第２の半径は打撃面１４４に対して凹状である。変曲点は、第１の半径と第２の半径の間に配置されており、ここで、変曲点は、移行厚さの曲率の変化（すなわち、凸状曲率から凹状曲率へ）の位置を画定する。半径が小さいほど、結果的に移行厚さの変化率が大きくなる。半径が大きいほど、結果的に移行厚さの変化率が小さくなる。多くの実施形態では、移行厚さの半径は、０．０５〜０．５インチの範囲をとり得る。いくつかの実施形態では、移行厚さの半径は、０．０５〜０．２５インチ、または０．２５〜０．５インチの範囲をとり得る。また、いくつかの実施形態では、移行厚さの半径は、０．０５〜０．１２５インチ、０．１２５〜０．２５、０．２５〜０．３７５インチ、または０．３７５〜０．５インチの範囲をとり得る。例えば、移行厚さの半径は、約０．０５、０．１、０．１５、０．２０、０．２５、０．３０、０．３５、０．４０、０．４５、または０．５０インチをとり得る。別の実施例では、ドライバータイプのクラブヘッドの移行厚さの半径は、０．１０インチをとり得る。また別の実施例では、フェアウェイウッドタイプのクラブヘッドの移行厚さの半径は、０．４０インチをとり得る。
【００４７】
（中間領域）
図４から図６に示されるように、フェース１４２の厚さは、変化し、１つまたは複数の領域１６０を参照して説明される。フェース１４２の１つまたは複数の領域１６０は、中間領域１６６を備える。中間領域１６６は、移行領域１６４からフェース１４２の幾何学的中心１４８に向かって内方に延びる。中間領域１６６は、中間領域１６４の境界を画定する、一定の中間厚さを備える。より具体的には、中間領域１６６は、移行境界１７２から中間境界１７４に向かって内方に延びている。中間境界１７４は、フェース１４２の厚さが一定の中間厚さから逸脱するフェース１４２上の位置を画定する。一定の中間厚さは、移行境界１７２から中間境界１７４に延びている。
【００４８】
多くの実施形態では、中間厚さは、フェース１４２の最小厚さを構成する。中間厚さは、周辺厚さよりも薄い。一定の中間厚さは、打撃面１４４の周りに連続して延び得る。この中間領域１６６は、厚みに段差を備えていない
【００４９】
多くの実施形態では、ドライバータイプのクラブヘッドの中間厚さは、０．１０インチ以下、０．０９インチ以下、０．０８インチ以下、０．０８５インチ以下、０．０７インチ以下、または０．０６インチ以下をとり得る。他の実施形態では、ドライバータイプのクラブヘッドの中間厚さは、０．０５〜０．１０インチの範囲をとり得る。いくつかの実施形態では、ドライバータイプのクラブヘッドの中間厚さは、０．０５〜０．０７５インチ、または０．０７５〜０．１０インチの範囲をとり得る。いくつかの実施形態では、ドライバータイプのクラブヘッドの中間厚さは、０．０５〜０．０６インチ、０．０６〜０．０７インチ、０．０７〜０．０８インチ、０．０８〜０．０９インチ、または０．０９〜０．１０インチの範囲をとり得る。例えば、ドライバータイプのクラブヘッドの中間厚さは、約０．０５、０．０５５、０．０６、０．０６５、０．０７、０．０７５、０．０８、０．０８２、０．０８５、０．０９、または０．１０インチをとり得る。別の実施形態では、ドライバータイプのクラブヘッドの中間厚さは、０．０８２インチをとり得る。
【００５０】
多くの実施形態では、フェアウェイウッドタイプのクラブヘッドの中間厚さは、０．０９インチ以下、０．０８インチ以下、０．０７インチ以下、０．０６５インチ以下、０．０６インチ以下、または０．０５インチ以下をとり得る。他の実施形態では、フェアウェイウッドタイプのクラブヘッドの中間厚さは、０．０４〜０．０８インチの範囲をとり得る。いくつかの実施形態では、フェアウェイウッドタイプのクラブヘッドの中間厚さは、０．０４〜０．０６インチ、または０．０６〜０．０８インチの範囲をとり得る。また、いくつかの実施形態では、フェアウェイウッドタイプのクラブヘッドの中間厚さは０．０４〜０．０５インチ、０．０５〜０．０６インチ、０．０６〜０．０７インチ、または０．０７〜０．０８インチの範囲をとり得る。例えば、フェアウェイウッドタイプのクラブヘッドの中間厚さは、約０．０４、０．０４５、０．０５、０．０５５、０．０６、０．０６５、０．０７、０．０７５、または０．０８インチをとり得る。別の実施例では、フェアウェイウッドタイプのクラブヘッドの中間厚さは、０．０６インチをとり得る。
【００５１】
他の実施形態では、中間領域１６６は、打撃面１４４の周りに不連続に延びることもできる。これらの実施形態では、中間領域１６６は、一定の中間厚さを有する１つまたは複数の中間領域ゾーン１６６を備え得る。例えば、１つまたは複数の中間領域ゾーン１６６は、１つ、２つ、３つ、４つ、または５つの中間領域ゾーン１６６を備え得る。これらの実施形態では、中間領域１６６は、打撃面１４４の周りに１００％延びていなくてもよい。これらの実施形態では、中間領域１６６は、打撃面１４４の周りの５０％を超え、５５％を超え、６５％を超え、７０％を超え、７５％を超え、８０％を超え、８５％を超え、９０％を超え、または９５％を超えて延び得る。他の実施形態では、中間領域１６６は、５０％〜７５％、または７５％〜１００％を延び得る。また他の実施形態では、中間領域１６６は、打撃面１４４の周りの５０％〜１００％、６０％〜１００％、７０％〜１００％、８０％〜１００％、または９０％〜１００％を延び得る。他の実施形態では、中間領域１６６は、打撃面１４４の周りの５０％〜７０％、６０％〜８０％、７０％〜９０％、または８０％〜１００％を延び得る。
【００５２】
いくつかの実施形態では、移行境界１７２と中間境界１７４との間であり、１つまたは複数の中間領域ゾーン１６６の外側のフェース１４２の厚さは、１つまたは複数の中間領域ゾーン１６６の一定の中間厚さ以下とすることができる。他の実施形態では、移行境界１７２と中間境界１７４との間であり、１つまたは複数の中間領域ゾーン１６６の外側のフェース１４２の厚さは、１つまたは複数の中間領域ゾーン１６６の一定の中間厚さ以上とすることができる。１つまたは複数の中間領域ゾーン１６６は、重心位置を調整し、慣性モーメントを改善するために、クラブヘッドの重量をフェース１４２から排除し、ソール１３４などのクラブヘッド１００の他の部分に配置することを可能にする。さらに、１つまたは複数の中間領域ゾーン１６６は、ゴルフボールのオフセンターのインパクト時のボールスピードを増加する。
【００５３】
一実施例では、図１１に示すように、中間領域１６６は、一定の中間厚さを備える２つの中間領域ゾーン１６６に分離することができる。中間領域ゾーン１６６は、トウ１３８およびヒール１３６の付近に配置することができる。より具体的には、第１の中間領域ゾーン１６６は、高トウ象限１２０および低トウ象限１２４内に延び得、第２の中間領域ゾーン１６６は、高ヒール象限１２２および低ヒール象限１２６内に延び得る。この実施例では、これら２つの中間領域ゾーン１６２は、打撃面１４４の周りに７５％超で延び得る。
【００５４】
中間領域１６６は、フェース１４２の後面１４６に表面積を備える。図４に示すように、中間領域１６６の表面積は、高トウ象限１２０、高ヒール象限１２２、低トウ象限１２４、および低ヒール象限１２６内で変化する。中間領域１６６の表面積は、高トウ象限１２０において最大である。中間領域１６６の表面積は、高ヒール象限１２２において最小である。中間領域１６６の表面積は、低トウ象限１２４から高トウ象限１２０に向かって増加する。中間領域１６６の表面積は、高トウ象限１２０から高ヒール象限１２２に向かって減少する。中間領域１６６の表面積は、高トウ象限１２２から低ヒール象限１２６に向かって増加する。中間領域１６６の表面積は、低ヒール象限１２６から低トウ象限１２４に向かって一定である。
【００５５】
薄くされた一定の中間厚さによって、オフセンターヒットのボールスピードが増加する。最適なボールスピードは、フェース１４２の幾何学的中心付近で発生する。薄くされた一定の中間厚さによって、フェース１４２の中心と同様のボールスピード特性が中心以外の位置において可能となる。さらに、薄くされた一定の中間厚さによって、フェース１４２のＣＴが増加または最大化される。上述したように、厚くされた一定の周辺厚さとともに、中間領域１６６における薄くされた一定の中間厚さによって、前述の厚くされた領域と薄くされた領域とを欠いたクラブヘッドと比較して、ボールスピードが０．５〜２．０大きく、ＣＴが１〜５％大きいクラブヘッド１００を提供することができる。
【００５６】
（中央領域）
図４から図６に示されるように、フェース１４２の厚さは、変化し、１つまたは複数の領域１６０を参照して説明される。フェース１４２の１つまたは複数の領域１６０は、中央領域１６８を備える。中央領域１６８は、中間領域１６６からフェース１４２の幾何学的中心１４８に向かって内方に延びる。中央領域１６８は、フェース１４２の幾何学的中心１４８を包囲し得る。より具体的には、中央領域１６８は、中間境界１７４から幾何学的中心１４８に向かって内方に延びている。中央領域１６８は、変化し得るおよび／または一定のまま維持され得る中央厚さを備える。多くの実施形態では、中央厚さは、フェース１４２の最大厚さを備える。多くの実施形態では、中央厚みは、中間領域１６６から幾何学的中心１４８に向かう方向に増加する多様な厚さと、フェース１４２の幾何学的中心１４８上に配置された一定の厚さとを備える。多くの実施形態では、中央領域１６８は、楕円形の形状を備えることができる。他の実施形態では、中央領域１６８は、円形、ひし形、四辺形、非対称楕円形、または任意の他の幾何学的形状を備えることができる。
【００５７】
多くの実施形態では、ドライバータイプのクラブヘッドの中央厚さは、０．２０インチ以下、０．１５インチ以下、０．１４インチ以下、０．１３インチ以下、または０．１２インチ以下をとり得る。他の実施形態では、ドライバータイプのクラブヘッドの中央厚さは、０．０８〜０．２インチの範囲をとり得る。いくつかの実施形態では、ドライバータイプのクラブヘッドの中央厚さは、０．０８〜０．１４インチ、または０．１４〜０．２インチの範囲をとり得る。いくつかの実施形態では、ドライバータイプのクラブヘッドの中央厚さは、０．０８〜０．１２インチ、０．１２〜０．１６インチ、または０．１６〜０．２０インチの範囲をとり得る。例えば、ドライバータイプのクラブヘッドの中央厚さは、約０．０８、０．０８５、０．０９、０．０９５、０．１０、０．１０５、０．１１、０．１１５、０．１２、０．１２５、０．１３、０．１３２、０．１３５、０．１４、０．１４５、０．１５、０．１６、０．１７、０．１８、０．１９、または０．２０インチをとり得る。別の実施例では、ドライバータイプのクラブヘッドの中央厚さは、０．１３２インチをとり得る。別の実施例では、ドライバータイプのクラブヘッドの中間厚さは、０．１３６インチをとり得る。
【００５８】
多くの実施形態では、フェアウェイウッドタイプのクラブヘッドの中央厚さは、０．１５インチ以下、０．１０インチ以下、０．０９インチ以下、０．０８インチ以下をとり得る。他の実施形態では、フェアウェイウッドタイプのクラブヘッドの中央厚さは、０．０５〜０．１０インチの範囲をとり得る。いくつかの実施形態では、フェアウェイウッドタイプのクラブヘッドの中央厚さは、０．０５〜０．０７５インチ、または０．０７５〜０．１０インチの範囲をとり得る。いくつかの実施形態では、フェアウェイウッドタイプのクラブヘッドの中央厚さは、０．０５〜０．０６インチ、０．０６〜０．０７インチ、０．０７〜０．０８インチ、０．０８〜０．０９インチ、または０．０９〜０．１０インチの範囲をとり得る。例えば、フェアウェイウッドタイプのクラブヘッドの中央厚さは、約０．０５、０．０５５、０．０６、０．０６５、０．０７、０．０７５、０．０８、０．０８５、０．０９、０．０９５、または０．１０インチをとり得る。他の実施例では、フェアウェイウッドタイプのクラブヘッドの中央厚さは、０．０７５インチをとり得る。
【００５９】
他の実施形態では、中央領域１６８は、フェース１４２の幾何学的中心１４８からオフセットされた幾何学的中心１８５を包囲し得る。中央領域１６８の幾何学的中心１８５は、クラブヘッド１００のクラウン１３２、ソール１３４、トウ１３８、またはヒール１３６に向かう方向にフェース１４２の幾何学的中心１４８からオフセット可能である。いくつかの実施形態では、中央領域１６８の幾何学的中心１８５は、ソール１３４に向かってｘ軸１０５からオフセット可能であり、またはクラウン１３２に向かってｘ軸１０５からオフセット可能である。いくつかの実施形態では、中央領域１６８の幾何学的中心１８５は、ヒール１３６に向かってｙ軸１１０からオフセット可能であり、またはクラウン１３８に向かってｙ軸１１０からオフセット可能である。
【００６０】
さらに、オフセット距離は、ロフト面１１８に平行な方向で、フェース１４２の幾何学的中心１４８から中央領域１６８の幾何学的中心１８５に向かって測定することができる。多くの実施形態では、フェース１４２の幾何学的中心１４８と中央領域１６８の幾何学的中心１８５との間のオフセット距離は、０〜０．２インチの範囲をとり得る。いくつかの実施形態では、オフセット距離は、０〜０．１インチ、または０．１〜０．２インチの範囲をとり得る。いくつかの実施形態では、オフセット距離は、０〜０．０５インチ、０．０５〜０．１インチ、０．１〜０．１５インチ、または０．１５〜０．２０インチの範囲をとり得る。例えば、オフセット距離は、０、０．０５、０．０６、０．０７、０．０８、０．０９、０．１、０．１１、０．１２、０．１３、０．１４、０．１５、または０．２０インチをとり得る。別の実施例では、ドライバータイプのクラブヘッドのオフセット距離は、０．０６インチをとり得る。また別の実施例では、フェアウェイウッドタイプのクラブヘッドのオフセット距離は、０．０５インチをとり得る。
【００６１】
多くの実施形態では、中央領域１６８の幾何学的中心１８５は、打撃面１４４の幾何学的中心１４８から垂直方向に（すなわち、ソールまたはクラウン方向に）オフセット可能である。いくつかの実施形態では、中央領域１６８の幾何学的中心１８５は、打撃面１４４の幾何学的中心１４８から水平方向に（すなわち、ヒールまたはトウ方向に）オフセット可能である。他の実施形態では、図１２に示すように、中心領域１６８の幾何学的中心１８５は、ｙ軸１１０に対して角度をつけてフェース１４２の幾何学的中心１４８からオフセット可能である。中央領域１６８の幾何学的中心１８５のオフセット角は、ｙ軸１１０から、フェース１４２の幾何学的中心１４８および中央領域１６８の幾何学的中心１８５を通って延びる線まで測定することができる。多くの実施形態では、オフセット角は、０〜１０度の範囲をとり得る。いくつかの実施形態では、オフセット角は、０〜５度、または５〜１０度の範囲をとり得る。いくつかの実施形態では、オフセット角は、０〜２度、２〜４度、４〜６度、６〜８度、または８〜１０度の範囲をとり得る。例えば、オフセット角は、０、１、２、３、４、５、６、７、８、９、または１０度をとり得る。
【００６２】
（ドライバータイプのクラブヘッドの利点）
ドライバータイプのクラブヘッドを備えるクラブヘッド１００の実施形態では、フェース１４２の厚さを変化させることは、（１）米国ゴルフ協会（ＵＳＧＡ）規則内の最大特性時間（ＣＴ）の増加、（２）センターヒットとオフセンターヒットの場合のボールスピードの増加、（３）フェース１４２の耐久性の増加、および（４）フェース１４２の軽量化の増進という利点を提供する。厚くされた一定の周辺厚さによって、フェース１４２の耐久性が向上する。いくつかの実施形態では、周辺領域１６２がウェルドライン１８０を備える場合、フェース１４２の厚さは、ウェルドライン１８０の両側で一定となされてウェルドライン１８０の周りの領域の耐久性を向上する。厚くされた一定の周辺厚さによって、フェース１４２を中間領域１６６で薄くすることができる。薄くされた一定の中間厚さによって、オフセンターヒット時のボールスピードが増加し、さらにフェース１４２のＣＴが増加する。フェース１４２の幾何学的中心上に配置されている厚くされた中央厚さによって、ボールスピードとセンターヒット時のＣＴがさらに増加する。厚くされた一定の周辺厚さと、薄くされた一定の中間厚さと、厚くされた中央厚さとを組み合わせることで、上述の厚くされた領域、薄くされた領域、およびウェルドラインの両側の一定のフェース厚さを欠いたドライバータイプのクラブヘッドと比較して、ボールスピードが０．５〜２．０ｍｐｈ大きく、ＣＴが１％〜５％大きいドライバータイプのクラブヘッドを提供することが可能となる。さらに、薄くされた中間領域１６６によって、材料をフェース１４２から除去し、ソール１３４などのクラブヘッド１００の異なる部分に配置することが可能となり、クラブヘッドの性能（すなわち、重心位置および慣性モーメントを通した）が最大化する。
【００６３】
（フェアウェイウッドタイプのクラブヘッドの利点）
フェアウェイウッドタイプのクラブヘッドを備えるクラブヘッド１００の実施形態では、フェース１４２の厚さを変化させることは、（１）フェース１４２とクラブヘッド１００の耐久性の増加、および（２）打撃面１４４の高さを低減しインパクト時のゴルフボールのバックスピンを低減しつつ発射角を増加するという利点を提供する。厚くされた一定の周辺厚さによって、フェース１４２の耐久性が向上する。いくつかの実施形態では、周辺領域１６２がウェルドライン１８０を備える場合、フェース１４２の厚さは、ウェルドライン１８０の両側で一定となり、ウェルドライン１８０の周りの領域の耐久性が向上する。概して、フェアウェイウッドタイプのクラブヘッドの場合、ゴルフボールのインパクト中に、フェアウェイウッドタイプのクラブヘッドが破損して、クラウン１３２に亀裂が入る。クラウン１３２付近の一定の周辺厚さを増加させることにより、フェース１４２および後方本体部１３０の耐久性が大幅に向上し、これにより、クラウン１３２での亀裂による破損の頻度が低減する。フェース１４２の厚くされた一定の周辺厚さによって、前方本体部１４０と後方本体部１３０との間の材料強度に大きな差を有するフェアウェイウッドタイプのクラブヘッドの耐久性をさらに高める。概して、前方本体部１４０と後方本体部１３０との間の材料強度が大きすぎると、後方本体部１３０の材料強度が前方本体部１４０の材料強度よりも低いため、フェアウェイウッドタイプのクラブヘッドは、後方本体部１３０において破損する。厚くされた一定の周辺厚さによって、材料強度の大きな差による破損を軽減し、耐久性が向上したフェアウェイウッドタイプのクラブヘッドを提供する。厚くされた一定の周辺厚さによって、厚くされた一定の周辺厚さとウェルドラインの両側の一定のフェース厚さとを欠いたフェアウェイウッドタイプのクラブヘッドと比較して、耐久性が１５％〜３０％増加したフェアウェイウッドタイプのクラブヘッドを提供することができる。
【００６４】
さらに、一定の周辺厚さによりフェース１４２の耐久性を増加することで、打撃面１４４の高さを低くすることができる。打撃面１４４の高さを低くすることで、インパクト時に、クラウン１３２付近の打撃面１４４の領域を地面に、より近づけることができる。フェアウェイウッドタイプのクラブヘッドのクラウン１３２の付近の打撃面１４４の領域にインパクトを与えることで、（１）バックスピンの低減、および（２）ゴルフボールの発射角の増加を可能とする。打撃面１４４の高さを低くすることで、プレイヤーは、打撃面１４４でよりヒットすることができ、インパクト中でバックスピンの低減とゴルフボールの発射角の増加を実現することができる。
【００６５】
（多様な厚さのフェースを有する中空体ゴルフクラブヘッドの製造方法）
多様な厚さのフェース１４２を有するクラブヘッド１００の製造方法が提供される。本方法は、前方本体部１４０および後方本体部１３０を提供することを含み、前方本体部１４０および後方本体部１３０は、実質的に中空の構造を画定するように連結される。後方本体部１３０は、ヒール１３６と、ヒール１３６と反対側のトウ１３８と、クラウン１３２と、ソール１３４とをさらに有する。本方法は、前方本体部１４０に、打撃面１４４と、打撃面１４４と反対側の後面１４６と、幾何学的中心と、外縁部と、変化する厚さとを有するフェース１４２を提供することをさらに含む。フェース１４２の多様な厚さは、幾何学的中心１４８と外縁部１５０との間に形成することができる。前方本体部１４０、後方本体部１３０、および多様な厚さを有するフェース１４２を有するクラブヘッド１００は、鋳造、鍛造、機械加工、または任意の適切な方法またはそれらの組み合わせによって作製または形成することができる。いくつかの実施形態では、クラブヘッド１００は、後方本体部１３０を鋳造し、前方本体部１４０を鍛造することによって作製または形成することができる。また、いくつかの実施形態では、クラブヘッド１００は、後方本体部１３０を鋳造し、前方本体部１４０を機械加工することによって作製または形成することができる。また、いくつかの実施形態では、クラブヘッド１００は、前方本体部１４０および後方本体部１３０の両方を機械加工することにより作製または形成することができる。多くの実施形態では、前方本体部１４０は、レーザ溶接、プラズマ溶接、または他の溶接方法などの様々な溶接方法によって後方本体部１３０に溶接することができる。いくつかの実施形態では、クラブヘッド１００は、後方本体部１３０を鋳造し、前方本体部１４０を鍛造し、前方本体部１４０を後方本体部１３０に溶接することによって作製または形成することができる。
【００６６】
本明細書に記載のクラブヘッド１００の製造方法は、単に例示にすぎず、本明細書に提示の実施形態に限定されるものではない。本方法は、本明細書に具体的に描かれていない、または記載されていない多くの異なる実施形態または実施例において採用することができる。いくつかの実施形態では、記載された本方法の工程は、任意の適切な順序で実行することができる。他の実施形態では、工程のうちの１つまたは複数を組み合わせたり、分離したり、省略したりすることができる。
【００６７】
（例１−ドライバータイプのクラブヘッドの例示的な多様なフェース厚さ）
例示的なドライバータイプのクラブヘッド１００は、４００ｃｃ超の体積と、多様な厚さを有するフェースと、を備える。例示的なドライバータイプのクラブヘッド１００のフェースは、０．０９インチ以上の周辺厚さ、０．０８５インチ以下の中間厚さ、および約０．１３２インチの中央厚さを備える。この例示的なドライバータイプのクラブヘッド１００は、ＵＳＧＡ規則内の望ましい最大特性時間とボールスピードの増加とを実現する。
【００６８】
（例２−ドライバータイプのクラブヘッドの例示的な多様なフェース厚さ）
例示的なドライバータイプのクラブヘッド１００は、４５５ｃｃ超の体積と、多様な厚さを有するフェースと、を備える。例示的なドライバータイプのクラブヘッド１００のフェースは、０．１０インチの周辺厚さ、０．０８２インチの中間厚さ、および０．１３６インチの中央厚さを備える。この例示的なドライバータイプのクラブヘッド１００は、ＵＳＧＡ規則内の望ましい最大特性時間とボールスピードの増加とを実現する。
【００６９】
（例３−フェアウェイウッドタイプのクラブヘッドの例示的な多様なフェース厚さ）
例示的なフェアウェイウッドタイプのクラブヘッド１００は、４００ｃｃ未満の体積と、多様な厚さを有するフェースと、を備える。例示的なフェアウェイウッドタイプのクラブ１００のフェースは、０．０７インチの周辺厚さ、０．０６インチの中間厚さ、および０．０７５インチの中央厚さを備える。この例示的なフェアウェイウッドタイプのクラブヘッド１００は、クラブヘッドの耐久性の向上と、バックスピンを低減しゴルフボールの出射角を増加するための打撃面の高さの低減とを実現している。
【００７０】
（例４−フェアウェイウッドタイプのクラブヘッドの耐久性試験）
多様な厚さを有するフェースを備える例示的なフェアウェイウッドタイプのクラブヘッド１００が、多様な厚さを有するフェースを備えるが、厚くされた周辺厚さおよび薄くされた中間厚さを欠いた同様の対照的なフェアウェイウッドタイプのクラブヘッドと比較された。例示的なフェアウェイウッドタイプのクラブヘッド１００のフェースは、０．０７インチの周辺厚さ、０．０６インチの中間厚さ、および０．０７５インチの中央厚さを備える。対照的なフェアウェイウッドタイプのクラブヘッドのフェースは、０．０５５インチの周辺厚さ、および０．０６８インチの中央厚さを備える。
【００７１】
例示的なフェアウェイウッドタイプのクラブヘッド１００と対照的なフェアウェイウッドタイプのクラブヘッドとの間で、フェースの耐久性を比較するための試験が実施された。この試験では、各クラブヘッドにゴルフボールを発射する空気砲が使用された。各クラブヘッドからの空気砲の距離が一定に保たれ、各クラブヘッドがアドレス位置に保持された（すなわち、試験中にロフトは追加も減少もされなかった）。この試験は、各クラブヘッドが破損する（例えば、クラブヘッドに亀裂が発生する）前に耐えることができるゴルフボールのインパクトの数を比較した。試験の結果、例示的なフェアウェイウッドタイプのクラブヘッド１００では、ゴルフボールの破損に対して平均３２００回のゴルフボールのインパクトであり、対照的なフェアウェイウッドタイプのクラブヘッドでは、ゴルフボールの破損に対して平均２５００回のゴルフボールのインパクトであった。この結果から分かるように、例示的なフェアウェイウッドタイプのクラブヘッド１００の耐久性が平均２８％増加した。クラブヘッドの耐久性は、周辺厚さを増加し、中間厚さを減少することで、大幅に向上し、これによりインパクト性能が向上する。
【００７２】
（例５−フェアウェイウッドタイプのクラブヘッドの応力試験）
多様な厚さを有するフェースを備える例示的なフェアウェイウッドタイプのクラブヘッド１００が、多様な厚さを有するフェースを備えるが厚くされた周辺厚さおよび薄くされた中間厚さを欠いた同様の対照的なフェアウェイウッドタイプのクラブヘッドと比較された。例示的なフェアウェイウッドタイプのクラブヘッド１００と対照的なフェアウェイウッドタイプのクラブヘッドは、１平方インチあたり３３７キロポンドの力の降伏強度（ｋｓｉ）を有するＣ３５０鋼材を備える前方本体部と、１５０ｋｓｉの降伏強度を有する１７−４ステンレス鋼材を備える後方本体部と、を備える。例示的なフェアウェイウッドタイプのクラブヘッド１００のフェースは、０．０７インチの周辺厚さ、０．０６インチの中間厚さ、および０．０７５インチの中央厚さを備える。対照的なフェアウェイウッドタイプのクラブヘッドのフェースは、０．０５５インチの周辺厚さ、および０．０６８インチの中央厚さを備える。
【００７３】
例示的なフェアウェイウッドタイプのクラブヘッド１００と対照的なフェアウェイウッドタイプのクラブヘッドとの間で、最も応力の高い位置を比較するための試験が実施された。具体的には、各クラブヘッドにおいて、ウェルドラインおよびクラウンの周りの位置が比較された。この試験では、時速１１５マイルのボールスピードでゴルフボールが打撃面に衝突したときのインパクトをモデル化した有限要素シミュレーションが使用された。この試験では、クラブヘッド全体にわたって、材料の降伏強度を超えた位置が比較された。この試験の結果、例示的なフェアウェイウッドタイプのクラブヘッド１００は、ウェルドラインおよびクラウンから取り除かれた最も高い応力を有しており、一方、対照的なフェアウェイウッドタイプのクラブヘッドは、ウェルドラインおよびクラウンで最も高い応力を有していた。対照的なフェアウェイウッドタイプのクラブヘッドは、（１）クラウン付近のウェルドライン、（２）ソール付近のウェルドライン、および（３）後方本体部のクラウンで１５０ｋｓｉの降伏強度を超えていた。周辺厚さを増加し、中間厚さを減少させることで、クラブヘッドの耐久性が大幅に向上し、これにより、ウェルドラインとクラウンから最も高い応力が取り除かれる。この最も高い応力をウェルドラインおよびクラウンから取り除くことにより、フェアウェイウッドタイプのクラブヘッドのインパクト性能が向上し、その破損頻度が低減する。
【００７４】
（例６−ドライバータイプのクラブヘッドのボールスピードおよび特性時間試験）
例示的なドライバータイプのクラブヘッド１００は、多様な厚さを有するフェースを備える。対照的なドライバータイプのクラブヘッドは、多様な厚さを有するが、厚い周辺領域、薄い中間領域、およびウェルドライン両側の一定のフェース厚さを欠いたフェースを備える。例示的なドライバータイプのクラブヘッド１００のフェースは、０．１０インチの周辺厚さ、０．０８２インチの中間厚さ、０．１３６インチの中央厚さ、およびウェルドラインの両側の０．１０インチの中央厚さを備える。対照的なドライバータイプのクラブヘッドのフェースは、０．０９２インチの周辺厚さ、０．１４２インチの中央厚さ、ウェルドラインの片側の０．０９２インチの厚さ（すなわち、フェースの幾何学的中心に近い側）、およびウェルドラインの反対側の０．０８６インチの厚さ（すなわち、打撃面の外側縁部に近い側）を備える。
【００７５】
この試験は、例示的なドライバータイプのクラブヘッド１００と対照的なクラブヘッドとの間でボールスピードおよび特性時間（ＣＴ）を測定する。ボールスピード試験は、各クラブヘッドについてクラブヘッドの寸法、ロフト角、シャフトの特性、および気象条件を一定に保ちながら、多くのゴルフボールのインパクトに対して打撃面から離れたボールスピードを測定することを要する。特性時間試験は、小さい鋼鉄振り子を使用して打撃面上の特定の点に数回衝突させることを要する。特性時間試験は、ＣＴをマイクロ秒（μｓ）で記録する。この試験の結果から、例示的なドライバータイプのクラブヘッド１００が、対照的なドライバータイプのクラブヘッドよりも平均で０．５〜２．０ｍｐｈ大きいボールスピードを示すことが分かる。さらに、試験の結果から、例示的なドライバータイプのクラブヘッド１００が、対照的なドライバータイプのクラブヘッドよりも平均して１％から５％大きいＣＴを示す。厚い周辺厚さ、薄い中間領域、およびウェルドラインの両側の一定のフェース厚さを組み込むことにより、センターヒットおよびオフセンターヒットの場合のＣＴおよびボールスピードが増加する例示的なドライバータイプのクラブヘッドが提供される。
【００７６】
クレームされた１つまたは複数の要素の交換は、修復ではなく再構築を構成する。加えて、利益、他の利点、および問題の解決策は、特定の実施形態に関して説明してきた。しかしながら、利益、利点、問題の解決策、ならびに任意の利益、利点、または解決策を発生させるか、あるいはより顕著になる可能性のある任意の１つのまたは複数の要素は、特許請求の範囲のいずれかまたは全ての重要、必要、または必須の特徴または要素として解釈されるべきではない。
【００７７】
ゴルフの規則が時間と共に変更される可能性があるため（例えば、米国ゴルフ協会（ＵＳＧＡ）やロイヤル・アンド・エンシェント・ゴルフ・クラブ・オブ・セント・アンドリュース（Ｒ＆Ａ）などのゴルフ標準化機構および／または管理団体によって、新しい規律が採用されたり、古い規律が廃止または修正されたりする可能性がある）、本明細書に記載された製造装置、方法、および物品に関連するゴルフ用具は、特定の時点でゴルフの規則に適合しているか、または適合していない可能性がある。したがって、本明細書に記載された製造装置、方法、および物品に関連するゴルフ用具は、規則に適合するまたは適合しないゴルフ用具として広告、販売のための提供、および／または販売されてもよい。本明細書に記載された製造装置、方法、および物品は、この点で限定されない。
【００７８】
あるいは、本明細書に記載されている製造装置、方法、および物品は、ホッケーのスティック、テニスラケット、釣り竿、スキーポールなどの他のタイプのスポーツ用具に適用することができる。
【００７９】
さらに、本明細書に開示される実施形態および限定事項は、実施形態および／または限定事項が以下の場合、すなわち（１）特許請求の範囲に明示的に請求されていない、および（２）均等論の下で、特許請求の範囲の明示的な要素および／または限定事項の等価物であるか、または潜在的に等価物である場合には、献身の原則の下で公衆に捧げられるものではない。
【００８０】
本開示の様々な特徴および利点は、以下の特許請求の範囲に記載されている。
【００８１】
（項目１）
約４００ｃｃを超える体積と、前方本体部と、を備えており、前記前方本体部は、フェースを有しており、前記フェースは、外縁部を備えている打撃面であって、前記外縁部が前記打撃面の周辺を画定する、前記打撃面と、前記打撃面と反対側の後面と、幾何学的中心と、前記打撃面から前記後面まで測定される厚さと、一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、前記中間厚さは、前記フェースの最小厚さを備えており、前記周辺厚さは、前記中間厚さよりも厚く、前記打撃面の前記外縁部から前記周辺境界まで測定される周辺距離は、０．２５インチ以下である、中空体ゴルフクラブヘッド。
【００８２】
（項目２）
前記周辺領域は、接合部をさらに備えており、前記打撃面の前記外縁部から前記接合部まで測定される接合距離は、前記周辺距離よりも短く、前記フェースの厚みは、前記接合部の両側で一定である、項目１に記載の中空体ゴルフクラブヘッド。
【００８３】
（項目３）
前記接合距離は、０．２０インチ以下である、項目２に記載の中空体ゴルフクラブヘッド。
【００８４】
（項目４）
前記周辺領域は、前記打撃面の前記外縁部の周りの６５％を超えて延びている、項目１に記載の中空体ゴルフクラブヘッド。
【００８５】
（項目５）
前記周辺厚さは、０．０６から０．１６インチの範囲にあり、前記中間厚さは、０．０５から０．１０インチの範囲にある、項目１に記載の中空体ゴルフクラブヘッド。
【００８６】
（項目６）
前記周辺厚さは、０．０９インチ以上であり、前記中間厚さは、０．０８５インチ以下である、項目１に記載の中空体ゴルフクラブヘッド。
【００８７】
（項目７）
約４００ｃｃ未満の体積と、前方本体部と、を備えており、前記前方本体部は、フェースを有しており、前記フェースは、外縁部を備えている打撃面であって、前記外縁部が前記打撃面の周辺を画定する、前記打撃面と、前記打撃面と反対側の後面と、幾何学的中心と、前記打撃面から前記後面まで測定される厚さと、一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、前記中間厚さは、前記フェースの最小厚さを備えており、前記周辺厚さは、前記中間厚さよりも厚く、前記打撃面の前記外縁部から前記周辺境界まで測定される周辺距離は、０．２５インチ以下である、中空体ゴルフクラブヘッド。
【００８８】
（項目８）
前記周辺領域は、接合部をさらに備えており、前記打撃面の前記外縁部から前記接合部まで測定される接合距離は、前記周辺距離よりも短く、前記フェースの厚みは、前記接合部の両側で一定である、項目７に記載の中空体ゴルフクラブヘッド。
【００８９】
（項目９）
前記接合距離は、０．２０インチ以下である、項目８に記載の中空体ゴルフクラブヘッド。
【００９０】
（項目１０）
前記周辺領域は、前記打撃面の前記外縁部の周りの６５％を超えて延びている、項目７に記載の中空体ゴルフクラブヘッド。
【００９１】
（項目１１）
前記周辺領域は、前記打撃面の前記外縁部の周りの９０％を超えて延びている、項目７に記載の中空体ゴルフクラブヘッド。
【００９２】
（項目１２）
前記周辺厚さは、０．０５〜０．１０インチの範囲にあり、前記中間厚さは、０．０４〜０．０８インチの範囲にある、項目７に記載の中空体ゴルフクラブヘッド。
【００９３】
（項目１３）
前記周辺厚さは、０．０６５インチ以上であり、前記中間厚さは、０．０６５インチ以下である、項目７に記載の中空体ゴルフクラブヘッド。
【００９４】
（項目１４）
前方本体部を備えており、前記前方本体部は、フェースを有しており、前記フェースは、外縁部を備えている打撃面であって、前記外縁部が前記打撃面の周辺を画定する、前記打撃面と、前記打撃面と反対側の後面と、幾何学的中心と、前記打撃面から前記後面まで測定される厚さと、一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、前記フェースの幾何学的中心を包囲する楕円形状の中央領域であって、変化する中央厚さを備えており、前記中間境界から前記中央領域の前記幾何学的中心に向かって内方に延びる前記中央領域と、前記中間厚さは、前記フェースの最小厚さを備えており、前記中央厚さは、前記フェースの最大厚さを備えており、前記周辺厚さは、前記中間厚さよりも厚く、前記中央厚さ未満であり、前記打撃面の前記外縁部から前記周辺境界まで測定される周辺距離は、０．２５インチ以下である、中空体ゴルフクラブヘッド
【００９５】
（項目１５）
前記周辺領域は、接合部をさらに備えており、前記打撃面の前記外縁部から前記接合部まで測定される接合距離は、前記周辺距離よりも短く、前記フェースの厚みは、前記接合部の両側で一定である、項目１４に記載の中空体ゴルフクラブヘッド。
【００９６】
（項目１６）
前記接合距離は、０．２０インチ以下である、項目１５に記載の中空体ゴルフクラブヘッド。
【００９７】
（項目１７）
前記周辺領域は、前記打撃面の前記外縁部の周りの６０％を超えて延びている、項目１４に記載の中空体ゴルフクラブヘッド。
【００９８】
（項目１８）
前記周辺厚さは、０．０６〜０．１６インチの範囲にあり、前記中間厚さは、０．０５〜０．１０インチの範囲にある、項目１４に記載の中空体ゴルフクラブヘッド。
【００９９】
（項目１９）
前記周辺厚さは、０．０５〜０．１０インチの範囲にあり、前記中間厚さは、０．０４〜０．０８インチの範囲にある、項目１４に記載の中空体ゴルフクラブヘッド。
【０１００】
（項目２０）
前記中央領域は、前記フェースの前記幾何学的中心からオフセットされた幾何学的中心を有する、項目１４に記載の中空体ゴルフクラブヘッド。
【図１】
2021511099.tif 000003
【図２】
2021511099.tif 000004
【図３】
2021511099.tif 000005
【図４】
2021511099.tif 000006
【図５】
2021511099.tif 000007
【図６】
2021511099.tif 000008
【図７】
2021511099.tif 000009
【図８】
2021511099.tif 000010
【図９】
2021511099.tif 000011
【図１０】
2021511099.tif 000012
【図１１】
2021511099.tif 000013
【図１２】
2021511099.tif 000014
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
４００立方センチメートル（４００ｃｃ）を超える体積と、
前方本体部と、を備えており、
前記前方本体部は、フェースを有しており、
前記フェースは、
外縁部を備えている打撃面であって、前記外縁部が前記打撃面の周辺を画定する、前記打撃面と、
前記打撃面と反対側の後面と、
幾何学的中心と、
前記打撃面から前記後面まで測定される厚さと、
一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、
変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、
一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、
前記中間厚さは、前記フェースの最小厚さを備えており、
前記周辺厚さは、前記中間厚さよりも厚く、
前記打撃面の前記外縁部から前記周辺境界まで測定される周辺距離は、０．６３５センチメートル（０．２５インチ）以下であり、
前記周辺領域は、接合部をさらに備えており、
前記打撃面の前記外縁部から前記接合部まで測定される接合距離は、前記周辺距離よりも短く、
前記フェースの厚みは、前記接合部の両側で一定である、中空体ゴルフクラブヘッド。
【請求項２】
前記周辺距離は、０．３８１センチメートル（０．１５インチ）以下である、請求項１に記載の中空体ゴルフクラブヘッド。
【請求項３】
前記接合距離は、０．５０８センチメートル（０．２０インチ）以下である、請求項１または２に記載の中空体ゴルフクラブヘッド。
【請求項４】
前記周辺領域は、前記打撃面の前記外縁部の周りの６５％を超えて延びている、請求項１から３のいずれか一項に記載の中空体ゴルフクラブヘッド。
【請求項５】
前記周辺厚さは、０．１５２から０．４０６センチメートル（０．０６から０．１６インチ）の範囲にあり、
前記中間厚さは、０．１２７から０．２５４センチメートル（０．０５から０．１０インチ）の範囲にある、請求項１から４のいずれか一項に記載の中空体ゴルフクラブヘッド。
【請求項６】
前記周辺厚さは、０．２２９センチメートル（０．０９インチ）以上であり、
前記中間厚さは、０．２１６センチメートル（０．０８５インチ）以下である、請求項１から４のいずれか一項に記載の中空体ゴルフクラブヘッド。
【請求項７】
４００立方センチメートル（４００ｃｃ）未満の体積と、
前方本体部と、を備えており、
前記前方本体部は、フェースを有しており、
前記フェースは、
外縁部を備えている打撃面であって、前記外縁部が前記打撃面の周辺を画定する、前記打撃面と、
前記打撃面と反対側の後面と、
幾何学的中心と、
前記打撃面から前記後面まで測定される厚さと、
一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、
変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、
一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、
前記中間厚さは、前記フェースの最小厚さを備えており、
前記周辺厚さは、前記中間厚さよりも厚く、
前記打撃面の前記外縁部から前記周辺境界まで測定される周辺距離は、０．６５センチメートル（０．２５インチ）以下であり、
前記周辺領域は、接合部をさらに備えており、
前記打撃面の前記外縁部から前記接合部まで測定される接合距離は、前記周辺距離よりも短く、
前記フェースの厚みは、前記接合部の両側で一定である、中空体ゴルフクラブヘッド。
【請求項８】
前記周辺距離は、０．５０８センチメートル（０．２０インチ）以下である、請求項７に記載の中空体ゴルフクラブヘッド。
【請求項９】
前記接合距離は、０．５０８センチメートル（０．２０インチ）以下である、請求項７または８に記載の中空体ゴルフクラブヘッド。
【請求項１０】
前記周辺領域は、前記打撃面の前記外縁部の周りの６５％を超えて延びている、請求項７から９のいずれか一項に記載の中空体ゴルフクラブヘッド。
【請求項１１】
前記周辺領域は、前記打撃面の前記外縁部の周りの９０％を超えて延びている、請求項７から１０のいずれか一項に記載の中空体ゴルフクラブヘッド。
【請求項１２】
前記周辺厚さは、０．１２７〜０．２５４センチメートル（０．０５〜０．１０インチ）の範囲にあり、
前記中間厚さは、０．１０２〜０．２０３センチメートル（０．０４〜０．０８インチ）の範囲にある、請求項７から１１のいずれか一項に記載の中空体ゴルフクラブヘッド。
【請求項１３】
前記周辺厚さは、０．１６５センチメートル（０．０６５インチ）以上であり、
前記中間厚さは、０．１６５センチメートル（０．０６５インチ）以下である、請求項７から１１のいずれか一項に記載の中空体ゴルフクラブヘッド。
【請求項１４】
前方本体部を備えており、
前記前方本体部は、フェースを有しており、
前記フェースは、
外縁部を備えている打撃面であって、前記外縁部が前記打撃面の周辺を画定する、前記打撃面と、
前記打撃面と反対側の後面と、
幾何学的中心と、
前記打撃面から前記後面まで測定される厚さと、
一定の周辺厚さを備えており、前記フェースの前記外縁部から周辺境界に向かって内方に延びる周辺領域であって、前記周辺境界は、前記フェースの前記厚さが前記一定の周辺厚さから逸脱する前記フェース上の位置を画定する、前記周辺領域と、
変化する移行厚さを備えており、前記周辺境界から移行境界に向かって内方に延びる移行領域であって、前記移行境界は、前記フェースの厚さが前記変化する移行厚さから逸脱する前記フェース上の位置を画定する、前記移行領域と、
一定の中間厚さを備えており、前記移行境界から中間境界に向かって内方に延びる中間領域であって、前記中間境界は、前記フェースの厚さが前記一定の中間厚さから逸脱する前記フェース上の位置を画定する、前記中間領域と、を備えており、
前記フェースの幾何学的中心を包囲する楕円形状の中央領域であって、変化する中央厚さを備えており、前記中間境界から前記中央領域の前記幾何学的中心に向かって内方に延びる前記中央領域と、
前記中間厚さは、前記フェースの最小厚さを備えており、
前記中央厚さは、前記フェースの最大厚さを備えており、
前記周辺厚さは、前記中間厚さよりも厚く、前記中央厚さ未満であり、
前記打撃面の前記外縁部から前記周辺境界まで測定される周辺距離は、０．６３５センチメートル（０．２５インチ）以下であり、
前記周辺領域は、接合部をさらに備えており、
前記打撃面の前記外縁部から前記接合部まで測定される接合距離は、前記周辺距離よりも短く、
前記フェースの厚みは、前記接合部の両側で一定である、中空体ゴルフクラブヘッド。
【請求項１５】
前記周辺距離は、０．５０８センチメートル（０．２０インチ）以下である、請求項１４に記載の中空体ゴルフクラブヘッド。
【請求項１６】
前記接合距離は、０．５０８センチメートル（０．２０インチ）以下である、請求項１４または１５に記載の中空体ゴルフクラブヘッド。
【請求項１７】
前記周辺領域は、前記打撃面の前記外縁部の周りの６０％を超えて延びている、請求項１４から１６のいずれか一項に記載の中空体ゴルフクラブヘッド。
【請求項１８】
前記周辺厚さは、０．１５２〜０．４０６センチメートル（０．０６〜０．１６インチ）の範囲にあり、
前記中間厚さは、０．１２７〜０．２５４センチメートル（０．０５〜０．１０インチ）の範囲にある、請求項１４から１７のいずれか一項に記載の中空体ゴルフクラブヘッド。
【請求項１９】
前記周辺厚さは、０．１２７〜０．２５４センチメートル（０．０５〜０．１０インチ）の範囲にあり、
前記中間厚さは、０．１０２〜０．２０３センチメートル（０．０４〜０．０８インチ）の範囲にある、請求項１４から１７のいずれか一項に記載の中空体ゴルフクラブヘッド。
【請求項２０】
前記中央領域は、前記フェースの前記幾何学的中心からオフセットされた幾何学的中心を有する、請求項１４から１９のいずれか一項に記載の中空体ゴルフクラブヘッド。
【国際調査報告】
2021511099.tif 000015